(57)【特許請求の範囲】
【請求項１】
複数のコアを組合わせ、対向配置して閉磁路を形成するようにしたリーケージトランスにおいて、
前記対向配置された少なくとも一方側のコア内壁面で四辺形の四頂点となる位置に、他方側のコア内壁面方向へ突出した柱脚を設け、
前記四頂点に位置する全柱脚を囲繞するように第１の一次巻線を巻回すると共に、前記頂点の対向する頂点に位置する一対の柱脚を囲繞するように第２の一次巻線を巻回し、
前記一対の柱脚とは異なる一対の柱脚における一方に、第１の二次巻線を巻回し、
前記一対の柱脚とは異なる一対の柱脚における他方に、第２の二次巻線を巻回したことを特徴とするリーケージトランス。
【請求項２】
第１の一次巻線と第２の一次巻線の巻数比を変えることにより一次巻線と各二次巻線との結合度を調整し得るようにしたことを特徴とする請求項１に記載のリーケージトランス。
【請求項３】
１つの柱脚に複数の巻線を巻回する場合には、巻回部分を柱脚の長さ方向に分けて巻回することを特徴とする請求項１に記載のリーケージトランス。
【請求項４】
前記各柱脚の高さが所望に形成されており、複数のコアを組合わせ、対向配置して閉磁路を形成した場合のギャップ長が所望になることを特徴とする請求項１に記載のリーケージトランス。
【発明の詳細な説明】
【０００１】
【発明の属する技術分野】
この発明は、例えば、ノート型パーソナルコンピュータの表示装置におけるバックライト用放電灯の点灯回路、特にＤＣ／ＡＣインバータ回路に用いると好適なリーケージトランスに関するものである。
【０００２】
【従来の技術】
従来のこの種のトランスとしては、本願発明者が既に出願した特願２０００−３０１１８８号に開示のリーケージトランスがある。
【０００３】
上記のリーケージトランスは、２枚のコアを合わせて構成したもので、その内部は、図１０または図１１に示されるようである。これらの図１０と図１１において、３ａ，３ｂは中脚、４ａ，４ｂは内側溝部、５は外側溝部、６は隔壁部、７は外周部である。
【０００４】
そして、中脚３ａに第１の二次巻線が巻回され、中脚３ｂに第２の二次巻線が巻回され、外側溝部５に一次巻線が巻回される。係る構成により小形で薄型の１入力多出力のトランスを得ることができる。
【０００５】
【発明が解決しようとする課題】
しかしながら、上記のリーケージトランスでは、コア内側に中脚３ａ、３ｂ以外に隔壁部６等の薄い突起物を設ける必要があり、コアの作成がやや難しく、また、形状が大きいため、該トランスを電子機器に取り付ける際に広い占有面積が必要になる等の問題があった。
【０００６】
本発明は上記の従来におけるリーケージトランスが有する問題点を解決せんとしてなされたもので、その目的は、コアの作成が容易で、しかも更に小型化を図ることができ、また、一次巻線と各二次巻線との間の結合度の調整を容易に、しかも、より精密に設定できるようにしたリーケージトランスを提供することである。
【０００７】
【課題を解決するための手段】
本願の請求項１に係るリーケージトランスは、複数のコアを組合わせ、対向配置して閉磁路を形成するようにしたリーケージトランスにおいて、前記対向配置された少なくとも一方側のコア内壁面で四辺形の四頂点となる位置に、他方側のコア内壁面方向へ突出した柱脚を設け、前記四頂点に位置する全柱脚を囲繞するように第１の一次巻線を巻回すると共に、前記頂点の対向する頂点に位置する一対の柱脚を囲繞するように第２の一次巻線を巻回し、前記一対の柱脚とは異なる一対の柱脚における一方に、第１の二次巻線を巻回し、前記一対の柱脚とは異なる一対の柱脚における他方に、第２の二次巻線を巻回したことを特徴とする。
【０００８】
本願の請求項２に係るリーケージトランスは、第１の一次巻線と第２の一次巻線の巻数比を変えることにより一次巻線と各二次巻線との結合度を調整し得るようにしたことを特徴とする。
【０００９】
本願の請求項３に係るリーケージトランスは、１つの柱脚に複数の巻線を巻回する場合には、巻回部分を柱脚の長さ方向に分けて巻回することを特徴としている。
【００１０】
本願の請求項４に係るリーケージトランスは、前記各柱脚の高さが所望に形成されており、複数のコアを組合わせ、対向配置して閉磁路を形成した場合のギャップ長が所望になることを特徴とする。
【００１１】
【発明の実施の形態】
以下添付図面を参照して、本発明のリーケージトランスの実施の形態を説明する。図１から図４はそれぞれ本発明に係わるリーケージトランスの上面図、底面図、側面図、正面図を示し、図５は本発明に係わるリーケージトランスの底面側から見た内部の透視説明図、図６は図１のＡ−Ａ’線で切った断面図、図７は同Ｂ−Ｂ’線で切った断面図、図８は本発明に係わるリーケージトランスに用いる上コアの説明図で、（ａ）は上面図、（ｂ）は底面図、（ｃ）は長手方向中央で切断した断面図である。図９は同じく下コアの説明図であり、前記図８、図９においてそれぞれ（ａ）は上面図、（ｂ）は底面図、（ｃ）は長手方向から見た側面図である。
【００１２】
これらの図に示されるように、上コア２０の平面形状は四隅が面取りされたシ四角形状である。上コア２０の内面側には、角部が円形に切欠された凹部２２が形成され、周縁部２１、２１が壁を形成している。凹部２２の中央部には、矩形の四頂点となる位置に、下コア１０の内壁面方向へ突出した柱脚２３Ａ〜２３Ｄが立設されている。
【００１３】
下コア１０の平面形状は四角形における１つの長辺から略三角形状の切欠が形成された形状となっている。下コア１０の内面側には、２短辺の縁部１１、１１を僅かに残し、凹部１２が形成されている。凹部１２の中央部には、上コア２０の柱脚２３Ａ〜２３Ｄに対応する位置に肉薄の柱脚１３Ａ〜１３Ｄが形成されている。
【００１４】
上コア２０の上記四頂点に位置する全柱脚２３Ａ〜２３Ｄを囲繞するように第１の一次巻線３１ａが巻回されている。また、上記頂点の対向する頂点に位置する一対の柱脚２３Ｂ、２３Ｄを囲繞するように第２の一次巻線３１ｂが巻回されている。
【００１５】
また、上記一対の柱脚２３Ｂ、２３Ｄとは異なる一対の柱脚２３Ａ、２３Ｃにおける一方の柱脚２３Ａに、第１の二次巻線４１ａが巻回され、他方の柱脚２３Ｃに、第２の二次巻線４１ｂが巻回されている。本実施の形態においては、図６に示すように、第１の一次巻線３１ａ及び第２の一次巻線３１ｂはボビンレスで巻線されており、上コア２０の底部に配置されるようにしてある。また、第１の二次巻線４１ａ及び第２の二次巻線４１ｂは、それぞれ絶縁性のボビンに巻線されて上コア２０の開口側に配置されるようにしてある。
【００１６】
そして下コア１０の一方の側部には、端子台５１、５２が付設されており、端子台５１には、端子５１１、５１２が設けられ、端子台５２には、端子５２１、５２２が設けられている。二次巻線４１ａの端末は端子５１１、５１２に接続され、二次巻線４１ｂの端末は端子５２１、５２２に接続されている。
【００１７】
また、下コア１０の他方の側部には、端子台５３が付設されており、端子台５３には、端子５３１、５３２、・・・が設けられている。一次巻線３１ａ、３１ｂの端末はそれぞれ端子５３１、５３２、・・・に接続されている。
【００１８】
以上のように構成されたリーケージトランスは、上コア２０と下コア１０とが凹部１２、２２を対向するように重ねられる。このとき、柱脚１３Ａ〜１３Ｄと柱脚２３Ａ〜２３Ｄは対向して配置され、各柱脚の対向面の間にギャップｇ１〜ｇ４が形成される。なお、上コア２０の開口面は下コア１０と端子台５１、５１及び５３によって閉塞されるので、外部に磁束が漏れるのを予防することができる。
【００１９】
上記ギャップｇ１〜ｇ４の各々の幅は、柱脚１３Ａ〜１３Ｄと、柱脚２３Ａ〜２３Ｄの高さにより調整することができる。
【００２０】
第１の一次巻線３１ａによる磁束は柱脚２３Ａ〜２３Ｄから出て、ギャップｇ１〜ｇ４を通って下コア１０へ至り、上コア２０の周縁部２２、２２と下コア１０の縁部１１、１１との接合部を介して再び柱脚２３Ａ〜２３Ｄへ戻る閉磁路を循環するので、第１の一次巻線３１ａは、柱脚２３Ａと柱脚２３Ｃに巻回された第１の二次巻線４１ａと第２の二次巻線４１ｂに結合する。
【００２１】
第２の一次巻線３１ｂによる磁束の大部分は、ギャップｇ１、ｇ４を介して下コア10の柱脚１３Ｂ，１３Ｄと上コア２０の柱脚２３Ｂ，２３Ｄの間を循環するので第２の一次巻線３１ｂは、柱脚２３Ａと柱脚２３Ｃに巻回された二次巻線４１ａと４１ｂとの結合には殆ど寄与しない。従って、一次巻線３１ａ、３１ｂと二次巻線４１ａ、４１ｂの間の結合の調整は、上コア２０の柱脚２３Ａ〜２３Ｄに対向して配置された下コア１０の柱脚１３Ａ〜１３Ｄとで形成されたギャップｇ１〜ｇ４の幅を変えるだけでなく、一次巻線３１ａと３１ｂの巻線数の比を変化させることによっても調整できることを意味している。
【００２２】
以上の構成により、多入力で多出力のリーケージトランスを形成するコアの凹部に複数の二次巻線を隔離するための隔壁を設けることなく作成することができる。また、一次巻線３１ａと３１ｂおよび二次巻線４１ａと４１ｂは柱脚２３Ａと２３Ｃの軸方向に分けて巻回されているので、コアの長軸方向の長さを短くすることができる。
【００２３】
更に、ギャップｇ１〜ｇ４の幅と、一次巻線３１ａ、３１ｂの巻線比をそれぞれ別々に調整することによって、一次巻線側と二次巻線側の結合をより精密に調整することができるので、特性の選択範囲の広いリーケージトランスを提供することができる。
【００２４】
【発明の効果】
以上説明したように本発明のリーケージトランスは、対向配置されたコアの少なくとも一方側のコア内壁面で四辺形の四頂点となる位置に、他方側のコア内壁面方向に突出した柱脚を設け、これらの柱脚の軸方向に複数の一次巻線と複数の二次巻線を巻いて構成するとともに、前記二次巻線の間の隔壁部をなくしたので、コアの作成が容易で、かつ、小型化することができ、更に、一次巻線側と二次巻線側の結合をより精密に調整することができる。
【図面の簡単な説明】
【図１】本発明に係わるリーケージトランスの上面図。
【図２】本発明に係わるリーケージトランスの底面図。
【図３】本発明に係わるリーケージトランスの側面図。
【図４】本発明に係わるリーケージトランスの正面図。
【図５】本発明に係わるリーケージトランスの底面側から見た内部の透視説明図。
【図６】図１におけるＡ−Ａ’線で切った断面図。
【図７】図１におけるＢ−Ｂ’線で切った断面図。
【図８】本発明に係わるリーケージトランスに用いる上コアの説明図であり、（ａ）は上面図、（ｂ）は底面図、（Ｃ）は長手方向中央で切った断面図である。
【図９】本発明に係わるリーケージトランスに用いる下コアの説明図であり、（ａ）は上面図、（ｂ）は底面図、（Ｃ）は長手方向から見た側面図である。
【図１０】従来のリーケージトランスに用いた上コアの一例を示す底面図。
【図１１】従来のリーケージトランスに用いた上コアの別の例を示す底面図。
【符号の説明】
１０  下コア
１１  縁部
１２  凹部
１３Ａ〜１３Ｄ  柱脚
２０  上コア
２１  周縁部
２２  凹部
２３Ａ〜２３Ｄ  柱脚
３１ａ  第１の一次巻線
３１ｂ  第２の一次巻線
４１ａ  第１の二次巻線
４１ｂ  第２の二次巻線
５１、５２、５３  端子台
【図１】
0003792526.tif 000002
【図２】
0003792526.tif 000003
【図３】
0003792526.tif 000004
【図４】
0003792526.tif 000005
【図５】
0003792526.tif 000006
【図６】
0003792526.tif 000007
【図７】
0003792526.tif 000008
【図８】
0003792526.tif 000009
【図９】
0003792526.tif 000010
【図１０】
0003792526.tif 000011
【図１１】
0003792526.tif 000012